(57)【要約】【課題】受信範囲が現場設定可能な、すなわち、装置の受信範囲を設置時に変更することができる受動赤外線方式侵入検知装置を提供する。【解決手段】フィールド受信範囲設定可能な受動赤外線方式侵入検知装置の一実施形態は、複数の受動赤外線センサを含む。装置はまた、フィールドの異なる部分からの赤外線を集めるための、かつこの赤外線を複数の受動赤外線センサ上に集束させるための光学要素を有する。電気的活性化／非活性化回路が、各受動赤外線センサの出力を受信し、複数の受動赤外線センサ出力の１つ又はそれよりも多くを選択的に活性化／非活性し、それによって受動赤外線方式侵入検知装置の受信範囲に入るフィールドの部分を設定する。フィールド受信範囲設定可能な受動赤外線方式侵入検知装置の別の実施形態では、装置の高さ方向受信範囲は、現場で調節可能である。装置は、受動赤外線センサと、光学要素からある一定の高さ方向距離にあるフィールドからの赤外線を集束させるための離間距離だけ受動赤外線センサから離間した光学要素とを含む。装置は、更に、離間距離を変え、それによってフィールドからの光学要素の高さ方向距離を変えるための手段を含む。【選択図】図２
2009506422.tif 000002
【特許請求の範囲】
【請求項１】
複数の受動赤外線センサと、
フィールドの異なる部分からの赤外線を集め、該赤外線を前記複数の受動赤外線センサ上に集束させるための光学要素と、
前記複数の受動赤外線センサの１つ又はそれよりも多くを選択的に活性化／非活性化し、それによって受動赤外線方式侵入検知装置の受信範囲に入る前記フィールドの前記部分を設定するための電気的活性化／非活性化回路と、
を含むことを特徴とする、フィールド受信範囲設定可能な受動赤外線方式侵入検知装置。
【請求項２】
前記電気的活性化／非活性化回路は、１つのヒューズが各受動赤外線センサに関連した複数のヒューズであることを特徴とする請求項１に記載の装置。
【請求項３】
前記電気的活性化／非活性化回路は、マイクロプロセッサであることを特徴とする請求項１に記載の装置。
【請求項４】
前記電気的活性化／非活性化回路は、１つのスイッチが各受動赤外線センサに関連した複数のスイッチであることを特徴とする請求項１に記載の装置。
【請求項５】
前記受動赤外線センサの数は、４つであることを特徴とする請求項１に記載の装置。
【請求項６】
前記受動赤外線センサの各々は、約９０度の視角範囲にわたっていることを特徴とする請求項５に記載の装置。
【請求項７】
受動赤外線センサと、
離間距離だけ前記受動赤外線センサから離間した、光学要素からある一定の高さ方向距離のフィールドからの赤外線を集束させるための光学要素と、
前記離間距離を変更し、それによって前記光学要素の前記フィールドからの前記高さ方向距離を変更するための手段と、
を含むことを特徴とする、高さ方向受信範囲調節可能な受動赤外線方式侵入検知装置。
【請求項８】
前記離間距離は、前記高さ方向距離と平行であることを特徴とする請求項７に記載の装置。
【請求項９】
前記変更するための手段は、前記離間距離を調節するためのネジを含むことを特徴とする請求項８に記載の装置。
【請求項１０】
前記変更するための手段は、前記離間距離を調節するためのスペーサを含むことを特徴とする請求項８に記載の装置。
【請求項１１】
複数の受動赤外線センサと、
離間距離だけ前記複数の受動赤外線センサから離間した、光学要素からある一定の高さ方向距離の複数の異なるフィールドからの赤外線を該複数の受動赤外線センサ上に集束させるための光学要素と、
前記離間距離を変更し、それによって前記光学要素の前記複数のフィールドからの前記高さ方向距離を変更するための手段と、
前記複数の受動赤外線センサの１つ又はそれよりも多くを選択的に活性化／非活性化し、それによって受動赤外線方式侵入検知装置の受信範囲に入る前記フィールドを設定するための電気的活性化／非活性化回路と、
を含むことを特徴とする、フィールド受信範囲調節可能な受動赤外線方式侵入検知装置。
【請求項１２】
前記電気的活性化／非活性化回路は、１つのヒューズが各受動赤外線センサに関連した複数のヒューズであることを特徴とする請求項１１に記載の装置。
【請求項１３】
前記電気的活性化／非活性化回路は、マイクロプロセッサであることを特徴とする請求項１１に記載の装置。
【請求項１４】
前記電気的活性化／非活性化回路は、１つのスイッチが各受動赤外線センサに関連した複数のスイッチであることを特徴とする請求項１１に記載の装置。
【請求項１５】
前記受動赤外線センサの数は、４つであることを特徴とする請求項１１に記載の装置。
【請求項１６】
前記受動赤外線センサの各々は、約９０度の視角範囲にわたっていることを特徴とする請求項１５に記載の装置。
【請求項１７】
前記離間距離は、前記高さ方向距離と平行であることを特徴とする請求項１１に記載の装置。
【請求項１８】
前記変更するための手段は、前記離間距離を調節するためのネジを含むことを特徴とする請求項１７に記載の装置。
【請求項１９】
前記変更するための手段は、前記離間距離を調節するためのスペーサを含むことを特徴とする請求項１７に記載の装置。
【発明の詳細な説明】
【技術分野】
【０００１】
本発明は、受信範囲が現場設定可能な、すなわち、装置の受信範囲を設置時に変更することができる受動赤外線方式侵入検知装置に関する。より具体的には、本発明の装置は、横方向、又は高さ方向、又はその両方に現場で設定することができる。
【背景技術】
【０００２】
受動赤外線方式侵入検知装置は、当業技術で公知である。従来技術では、受動赤外線方式侵入検知装置の受信範囲、すなわち、装置の検知の横方向範囲は、工場で設定される。すなわち、サイトの設置者が、フィールドの特定の部分が熱源を有するか又はそうでなければ誤警報に寄与するのでその部分を検知すべきではないと判断する場合、設置者は、その装置に対するフィールド受信範囲を再設定する柔軟性を持っていない。
【０００３】
更に、赤外線方式侵入検知装置は、異なる高さを考慮するように設置中に現場で調節することはできないであろう。
【発明の開示】
【０００４】
従って、本発明では、フィールド受信範囲設定可能な受動赤外線方式侵入検知装置の２つの実施形態を開示する。第１の実施形態では、装置は、複数の受動赤外線センサを含む。装置はまた、フィールドの異なる部分の侵入を検知するための光学要素を有する。電気的活性化／非活性化回路が、各受動赤外線センサの出力を受信し、複数の受動赤外線センサ出力の１つ又はそれよりも多くを選択的に活性化／非活性し、それによって受動赤外線方式侵入検知装置の受信範囲に入るフィールドの部分を設定する。
【０００５】
装置の第２の実施形態では、装置の高さ方向受信範囲は、現場で調節可能である。装置は、受動赤外線センサと、光学要素からある一定の高さ方向距離にあるフィールドからの赤外線を集束させるための、離間距離だけ受動赤外線センサから離間した光学要素とを含む。装置は、更に、離間距離を変更し、それによってフィールドからの光学要素の高さ方向距離を変更するための手段を含む。
【発明を実施するための最良の形態】
【０００６】
図１を参照すると、本発明のフィールド受信範囲設定可能な受動赤外線方式侵入検知装置１０の第１の実施形態の側面図が示されている。装置１０は、複数の受動赤外線センサ（１２Ａ、１２Ｂ、１２Ｃ（図２に示す）、及び１２Ｄ）を含む。図２に示すように、センサ１２の各々は、実質的に直線的構成、すなわち、約９０度離間して位置決めされる。単一の半球ドーム形フレネルレンズ又は他の光学要素１４は、センサ１２を取り囲み、フィールドの異なる部分１６（Ａ−Ｄ）から赤外線を集め、それらを複数のセンサ１２（Ａ−Ｄ）上に集束させる。勿論、単一の光学要素１４を各光学要素が異なる受動赤外線センサ１２に関連する複数の光学要素で置換することができることも本発明の範囲である。図２に示すように、光学要素１４は、実質的に半球ドーム形であり、赤外線センサ１２を覆ってそれらを収容する。光学要素１４はまた、複数の異なるフィールドから赤外線を集め、それらを異なるセンサ１２の各々に集束させるように機能する。
【０００７】
図３を参照すると、装置１０の受信範囲に入るフィールドの異なる部分の概略図が示されている。図３に示すように、フィールドは、４つの異なる部分：１６Ａ、１６Ｂ、１６Ｃ、及び１６Ｄを含む。フィールド１６のこの部分の各々は、フィールドが関連する赤外線センサ１２によって検知される。すなわち、例えば、仮にフィールド１６Ａで侵入が発生する場合、そのフィールド１６Ａの赤外線は、赤外線センサ１２Ａによって検知されるであろう。各々約９０度の受信範囲を有する４つの赤外線センサ１２があるので、フィールド１６の各々は、約９０度の円である。
【０００８】
最後に、図４を参照すると、検知装置１０の一部分の概略回路図が示されている。赤外線センサ１２の各々の出力は、電気的活性化／非活性化回路１８に供給される。一実施形態では、活性化／非活性化回路１８（Ａ−Ｄ）の各々は、ヒューズ又はスイッチとすることができる。別の実施形態では、複数の活性化／非活性化回路１８（Ａ−Ｄ）は、マイクロプロセッサで置換することができる。各赤外線センサ１２の出力は、信号をマルチプレクサ２０に供給する関連の電気的活性化／非活性化回路１８に供給される。マルチプレクサ２０の出力は、当業技術で公知の処理回路を通り、警報信号を発生する。作動においては、検知装置１０の設置中に、設置者は、回路１８（Ａ−Ｄ）の各々を選択的に活性化又は非活性化するであろう。例えば、図３に示すフィールド受信範囲において、フィールド１６Ｄの位置に誤警報の発生を引き起こす場合がある「温点」が存在する場合、設置者は、回路１８Ｄを非活性化し、それによって赤外線センサ１２Ｄの出力がマルチプレクサ２０に到達するのを防ぐことができる。その場合、それは、図５に示すように、フィールド１６Ｄ全体が遮蔽されたかのようなものであり、検知装置１０は、次に、この領域１６Ｄに発生するいかなる侵入にも応答しないであろう。検知装置１０は、領域１６Ａ、１６Ｂ、又は１６Ｃのいずれかに発生する侵入に応答すると考えられる。侵入がこれら３つの領域のいずれかに発生する時、センサ１２Ａ、１２Ｂ、又は１２Ｃは、活性化／非活性化回路１８（Ａ−Ｃ）を通ってマルチプレクサ２０に至る出力信号を発生し、マルチプレクサは、この信号を処理回路に送って警報を発生させるであろう。
【０００９】
以上により、検知装置１０を用いて、設置者は、検知装置１０が、フィールドにある間又は設置期間中に検知することができるフィールドを設定することができ、かつ検知装置１０に対する受信範囲パターンを変更することができることが分る。勿論、フィールドの数は、単に例示的に示した４つに限定されず、従って、あらゆる数のセンサ１２を用いてフィールドを異なる部分に分割することができる。
【００１０】
図６Ａを参照すると、本発明の検知装置１１０の第２の実施形態が示されている。検知装置１１０は、図１に示す検知装置１０に類似であり、従って、同じ数字を用いて同じ要素を説明するものとする。検知装置１０と同様に、検知装置１１０は、複数の受動赤外線センサ１２（Ａ−Ｄ）を含むが、説明目的のために要素１２Ａ及び１２Ｃのみが示されている。更に、検知装置１０と同様に、検知装置１１０は、光学要素１４を含み、これは、フィールドの異なる部分からの赤外線を集めてその赤外線を複数のセンサ１２上に集束させるために実質的に半球形ドームであり、センサ１２を覆っている。赤外線センサ１２は、底板３０上に装着される。半球形光学要素１４も底板３０上に装着される。図６Ａに示すように、光学要素１４は、半球形であり、かつ底板３０上に装着されて赤外線センサ１２を覆っているために、それは、半球形光学要素１４の先端又は頂点２２から赤外線センサ１２まで垂直方向に測った時に距離Ｘで離間している。更に、センサ１２の各々は、それらが、赤外線が水平から角度θに向けられた図６Ｂに示すフィールドから赤外線を受信するように底板３０上に装着される。この幾何学的形状の結果、半球形光学要素１４は、検知装置１１０から垂直距離Ｙにあるフィールドからの赤外線を集める。これは、図６Ｂに示されている。
【００１１】
しかし、装置１０とは異なり、検知装置１１０はまた、センサ１２（Ａ−Ｄ）と底板３０との間で垂直方向に調節可能である。例えば、図６Ｃに示すように、スペーサ４０を赤外線センサ１２と底板３０の間に挿入することができる。赤外線センサ１２と装着底板３０の間の距離を調節するための他の手段は、ネジ又は他の調節可能な手段とすることができる。底板３０からセンサ１２までの距離を調節することにより、光学要素１４の先端２２と赤外線センサ１２の間の距離Ｘも調節することができる。距離Ｘが調節される時に、それは、フィールドから受信されて赤外線センサ１２上に集束される赤外線の水平からの角度θを変える。すなわち、図６Ｃに示す距離ＸからＸ’への調節は、角度θをθ’に変え、これは、図６Ｄに示すように距離ＹをＹ’に変える。すなわち、設置者は、フィールドにおける検知装置１１０の受信範囲の垂直距離を現場で調節することができる。
【００１２】
勿論、図１から６Ａに示す実施形態は、受信範囲の垂直方向高さ並びに横方向フィールドを変更するようにフィールド受信範囲設定可能である検知装置に更に組み合わせることができる。
【図面の簡単な説明】
【００１３】
【図１】本発明のフィールド受信範囲設定可能な受動赤外線方式侵入検知装置の第１の実施形態の側面図である。
【図２】図１に示す実施形態の平面図である。
【図３】図１に示す実施形態の受信範囲に入るフィールドの異なる部分の概略図である。
【図４】図１に示す実施形態のフィールド受信範囲を変更するための活性化／非活性化回路を示す回路図である。
【図５】フィールド受信範囲が設定又は変更された後の図１に示す実施形態の受信範囲に入るフィールドの部分の概略図である。
【図６Ａ】第１の設定における本発明のフィールド受信範囲設定可能な受動赤外線方式侵入検知装置の第２の実施形態の側面図である。
【図６Ｂ】第１の設定における図６Ａに示す実施形態の受信範囲に入るフィールドの部分の概略図である。
【図６Ｃ】第２の設定における本発明のフィールド受信範囲設定可能な受動赤外線方式侵入検知装置の第２の実施形態の側面図である。
【図６Ｄ】第２の設定における図６Ｃに示す実施形態の受信範囲に入るフィールドの部分の概略図である。
【符号の説明】
【００１４】
１２Ａ、１２Ｂ、１２Ｃ  受動赤外線センサ
１４  光学要素
【図１】
2009506422.tif 000003
【図２】
2009506422.tif 000004
【図３】
2009506422.tif 000005
【図４】
2009506422.tif 000006
【図５】
2009506422.tif 000007
【図６Ａ】
2009506422.tif 000008
【図６Ｂ】
2009506422.tif 000009
【図６Ｃ】
2009506422.tif 000010
【図６Ｄ】
2009506422.tif 000011
【国際調査報告】
2009506422.tif 000012
2009506422.tif 000013